(57)【要約】【課題】交通システムの導入に伴って増加した売上に応じて、各店舗から公平に運営費を徴収する。【解決手段】本発明は、交通システム１０の運営費を徴収するシステムであって、利用者１１に、店舗１５が提供する商品又はサービスに対する対価の一部又は全部として利用可能なクーポン情報が書き込まれたクーポン券１３を発行するクーポン発券機１２を備える。また、決済時にクーポン券１３に書き込まれたクーポン情報を読み取り、クーポン情報と決済情報とを互いに関連付けて記憶する店舗サーバ１６を各店舗１５に備えている。更に、各店舗サーバ１６に記憶されているクーポン情報と決済情報とをそれぞれ店舗１５毎に集計し、集計後のクーポン情報と決済情報とに基づいて、各店舗１５それぞれに対する運営費に対する負担金額を計算する決済高集計サーバ１８を備えている。【選択図】図１
2006251905.tif 000002
【特許請求の範囲】
【請求項１】
交通システムの運営費を徴収するシステムであって、
前記交通システムの利用者に、前記利用者が顧客になりうる店舗において前記店舗が提供する商品又はサービスに対する対価の一部又は全部として利用可能なクーポン情報が書き込まれたクーポンを発行するクーポン発行手段と、
前記各店舗にそれぞれに備えられ、前記商品又はサービスに対する決済時に前記クーポンに書き込まれたクーポン情報を読み取り、読み取ったクーポン情報と、対応する決済情報とを互いに関連付けて記憶するクーポン情報読取手段と、
前記各クーポン情報読取手段に記憶されているクーポン情報とそれに対応する決済情報とを取得し、取得したクーポン情報とそれに対応する決済情報とをそれぞれ店舗毎に集計し、集計後のクーポン情報と、それに対応する集計後の決済情報とを店舗に関連付けて記憶するクーポン情報集計手段と、
前記各店舗に関連付けて前記クーポン情報集計手段に記憶された集計後のクーポン情報と、それに対応する集計後の決済情報とに基づいて、前記各店舗それぞれに対する前記運営費に対する負担金額を計算する負担金額計算手段とを備え、
前記各店舗から、前記負担金額計算手段によって計算されたそれぞれの負担金額を徴収するようにした交通システムの運営費徴収システム。
【請求項２】
前記クーポンは、紙又はプラスチックからなるクーポン本体に、前記クーポン情報が書き込まれたバーコードを備えてなる請求項１に記載の交通システムの運営費徴収システム。
【請求項３】
前記クーポンは、紙又はプラスチックからなるクーポン本体に、前記クーポン情報が書き込まれたＩＣタグを備えてなる請求項１に記載の交通システムの運営費徴収システム。
【請求項４】
前記クーポンは、前記クーポン情報が書き込まれたＩＣカードである請求項１に記載の交通システムの運営費徴収システム。
【請求項５】
前記クーポンは、記憶領域を備え、この記憶領域に前記クーポン情報が書き込まれた携帯端末である請求項１に記載の交通システムの運営費徴収システム。
【請求項６】
パーク・アンド・ライド方式の駐車場の利用料金を前記運営費として徴収する請求項１乃至５のうち何れか１項に記載の交通システムの運営費徴収システム。
【請求項７】
交通システムの運営費を徴収する方法であって、
前記交通システムの利用者に、前記利用者が顧客になりうる店舗において前記店舗が提供する商品又はサービスに対する対価の一部又は全部として利用可能なクーポン情報が書き込まれたクーポンを発行し、
前記商品又はサービスに対する決済時に前記クーポンに書き込まれたクーポン情報を前記各店舗においてそれぞれ読み取り、読み取ったクーポン情報と、対応する決済情報と、決済を行った店舗とからなるセット情報をクーポン情報記憶装置に記憶し、
前記クーポン情報記憶装置に記憶されているセット情報に基づいて、前記クーポン情報とそれに対応する決済情報とをそれぞれ店舗毎に集計し、集計後のクーポン情報と、それに対応する集計後の決済情報とを店舗に関連付けて集計情報記憶装置に記憶し、
前記各店舗に関連付けて前記集計情報記憶装置に記憶された集計後のクーポン情報と、それに対応する集計後の決済情報とに基づいて、前記各店舗それぞれの前記運営費に対する負担金額を計算し、
前記各店舗から、前記計算されたそれぞれの負担金額を徴収するようにした交通システムの運営費徴収方法。
【請求項８】
前記クーポンは、紙又はプラスチックからなるクーポン本体に、前記クーポン情報が書き込まれたバーコードを備えてなる請求項７に記載の交通システムの運営費徴収方法。
【請求項９】
前記クーポンは、紙又はプラスチックからなるクーポン本体に、前記クーポン情報が書き込まれたＩＣタグを備えてなる請求項７に記載の交通システムの運営費徴収方法。
【請求項１０】
前記クーポンは、前記クーポン情報が書き込まれたＩＣカードである請求項７に記載の交通システムの運営費徴収方法。
【請求項１１】
前記クーポンは、記憶領域を備え、この記憶領域に前記クーポン情報が書き込まれた携帯端末である請求項７に記載の交通システムの運営費徴収方法。
【請求項１２】
パーク・アンド・ライド方式の駐車場の利用料金を前記運営費として徴収する請求項７乃至１１のうち何れか１項に記載の交通システムの運営費徴収方法。
【発明の詳細な説明】
【技術分野】
【０００１】
本発明は、例えばＬＲＴ（Light Rail Transit）、路線バス、コミュニティバス等の交通システムの運営費を徴収するシステム及び方法に関するものである。
【背景技術】
【０００２】
中心市街地の空洞化が深刻となった欧米では、自動車社会の行き詰まりを反省し、中心市街地活性化を成功させるための手法として、公共の交通システムを活用したトランジットモールを中心とした、魅力あるにぎわいの場の創造、集客を図るための歩いて楽しい歩行者空間の創出と都市の装置としての交通システムの整備の組合せが主流となっている。
【０００３】
特に、交通システムのなかで中心市街地の活性化に寄与するものとしては、路面を走行し歩行者の移動を補完する機能を持つＬＲＴ、バス、コミュニティバスなどが考えられる。
【０００４】
トランジットモールが導入された商店街は、交通システムが水平に動くエレベータの役割を果たし、あたかもモール全体が一つの大規模店舗のように機能することから、集積の魅力による来街者が増加する。また、中心市街地から一般車両を排除することにより交通システムの専用空間が確保でき、交通システムのサービス向上が図られる。これにより、従来の自動車利用者が交通システムに転換し、中心市街地を訪れるようになる。
【０００５】
通常、この種の交通システムの運営費については、利用者から一定の運賃を直接徴収することが行われている。一方、トランジットモール全体を一つの大規模店舗と見なすと、利用者から運賃を徴収するのではなく、来街者の増加により売上が増加し、結果的に受益者となる商店街から運営費を徴収する方がより合理的であると考えられる。
【０００６】
また、交通システムの利用者から直接運賃を徴収しないことで得られるメリットとして、  
１）乗降の効率が上がり、停車時間を短くすることができる。  
２）乗務員の徴収に係わる負担が無くなる。  
３）交通システムの車内での現金のやり取りが無くなる（保安上安心）。  
などをあげることが出来る。
【発明の開示】
【発明が解決しようとする課題】
【０００７】
しかしながら、このような公共の交通システムの運営費の徴収方法では、以下のような問題がある。
【０００８】
すなわち、上述したような運営費の徴収方法では、交通システムの利用と、商店街の売上の増加とを関係付ける指標が無いため、商店街の店舗毎に一定額の運営費を負担させるようなことしか出来ていない。
【０００９】
このため、さほど運営費を負担していないにもかからず、高い売上の増加を享受している店舗が存在する一方、運営費を払っている割には、売上の増加が得られない、つまり割高な運営費の負担を強いられている店舗もある。
【００１０】
このように、割高な運営費を負担している店舗と、割安な運営費を負担している店舗とに二極化され、公平に運営費が徴収されていないという問題がある。
【００１１】
本発明はこのような事情に鑑みてなされたものであり、交通システムの導入に伴って増加した売上に応じて、各店舗から公平に運営費を徴収することが可能な交通システムの運営費徴収システム及び運営費徴収方法を提供することを目的とする。
【課題を解決するための手段】
【００１２】
上記の目的を達成するために、本発明では、以下のような手段を講じる。
【００１３】
すなわち、本発明は、交通システムの運営費を徴収するシステム又は方法であって、まず、交通システムの利用者に、利用者が顧客になりうる店舗（例えば、この交通システムが導入されているトランジットモール内の店舗）において店舗が提供する商品又はサービスに対する対価の一部又は全部として利用可能なクーポン情報が書き込まれたクーポンを発行する。そして、各店舗では、商品又はサービスに対する決済時にクーポンに書き込まれたクーポン情報をそれぞれ読み取り、読み取ったクーポン情報と、対応する決済情報と、決済を行った店舗とからなるセット情報をクーポン情報記憶装置に記憶する。そして、交通システムの運営者は、クーポン情報記憶装置に記憶されているセット情報に基づいて、クーポン情報とそれに対応する決済情報とをそれぞれ店舗毎に集計し、集計後のクーポン情報と、それに対応する集計後の決済情報とを店舗に関連付けて集計情報記憶装置に記憶する。さらに、各店舗に関連付けて集計情報記憶装置に記憶された集計後のクーポン情報と、それに対応する集計後の決済情報とに基づいて、各店舗それぞれに対する運営費に対する負担金額を計算し、各店舗から、計算されたそれぞれの負担金額を徴収する。
【００１４】
ここで、クーポンは、紙又はプラスチックからなるクーポン本体に、クーポン情報が書き込まれたバーコードを備えてなるものであったり、同様に紙又はプラスチックからなるクーポン本体に、クーポン情報が書き込まれたＩＣタグを備えてなるものである。あるいは、クーポン情報が書き込まれたＩＣカードそのものや、クーポン情報が書き込まれた携帯電話やＰＤＡ等の携帯端末とすることもでる。
【００１５】
また、パーク・アンド・ライド方式の駐車場の利用料金や、セット・チケットの料金を運営費として徴収するようにしても良い。
【発明の効果】
【００１６】
本発明によれば、交通システムの導入に伴って増加した売上に応じて、各店舗から公平に運営費を徴収することが可能な交通システムの運営費徴収システム及び運営費徴収方法を実現することができる。
【発明を実施するための最良の形態】
【００１７】
以下に、本発明を実施するための最良の形態について図面を参照しながら説明する。
【００１８】
（第１の実施の形態）
図１は、第１の実施の形態に係る交通システム運営費徴収方法を適用した交通システム運営費徴収システムの構成例を示す概念図である。
【００１９】
すなわち、本実施の形態に係る交通システム運営費徴収システムは、例えばＬＲＴ（Light Rail Transit）、路線バス、コミュニティバス等の公共の交通システム１０の運営費を徴収するシステムであって、クーポン発券機１２と、決済端末１４と、店舗サーバ１６と、決算高（売上）集計サーバ１８とを備えている。
【００２０】
クーポン発券機１２は、交通システム１０の利用者１１に、利用者１１が顧客になりうる店舗１５、例えばこの交通システム１０が導入されているトランジットモール内の店舗１５においてこの店舗１５が提供する商品又はサービスに対する対価の一部又は全部として利用可能な金額、及び利用可能な店舗情報を含むクーポン情報が書き込まれたクーポン券を発券する。また、発券実績を決算高（売上）集計サーバ１８に通知する。
【００２１】
このようなクーポン発券機１２は、交通システム１０の車輌内や、停車場に設置される。ここで、店舗１５とは、有形物の品物を販売する店舗に限らず、無形物のサービスを提供する提供者も含む。
【００２２】
ここでクーポン券１３としては、例えば紙又はプラスチックからなるクーポン券本体に、クーポン情報が書き込まれたバーコードを備えてなるものであったり、同様に紙又はプラスチックからなるクーポン券本体に、クーポン情報が書き込まれたＩＣタグを備えてなるもの等が可能である。
【００２３】
決済端末１４は、各店舗１５にそれぞれに備えられ、商品又はサービスに対する決済時に、クーポン券１３に書き込まれたクーポン情報を読み取り、読み取ったクーポン情報と、対応する決済情報とを互いに関連付けて、決済端末１４に接続された店舗サーバ１６に出力する。なお決済情報とは、決済日時、決済高等を含む。
【００２４】
店舗サーバ１６もまた、各店舗１５側にそれぞれに備えられ、ハードディスク等からなる記憶領域を備えており、決済端末１４から出力されたクーポン情報と、それに対応する決済情報とを互いに関連付けて該記憶領域に記憶する。
【００２５】
決算高（売上）集計サーバ１８は、例えば交通システム１０の運営者１７側に備えられ、各店舗１５側にそれぞれ備えられた店舗サーバ１６から、クーポン情報と、それに対応する決済情報とを、ＬＡＮ、ＷＡＮ、あるいはインターネット等の通信ネットワークを介して取得し、取得したクーポン情報とそれに対応する決済情報とを、取得元の店舗１５毎に集計する。決算高（売上）集計サーバ１８もまた、ハードディスク等からなる記憶領域を備えており、集計後のクーポン情報と、それに対応する集計後の決済情報とを、取得元の店舗１５に関連付けて記憶する。
【００２６】
更に決算高（売上）集計サーバ１８は、このように店舗１５毎に関連付けて記憶された集計後のクーポン情報およびそれに対応する決済情報に基づいて、店舗１５毎の運営費に対する負担金額を計算する負担金額計算機能を備えている。
【００２７】
そして、交通システム１０の運営者は、このようにして計算された負担金額を、各店舗１５から徴収する。
【００２８】
次に、以上のように構成した本実施の形態に係る交通システム運営費徴収方法を適用した交通システム運営費徴収システムの動作について図２に示す処理関連図、及び図３に示すデータ遷移図を用いて説明する。なお、ここでは、交通システム１０としてＬＲＴを例に説明するが、交通システム１０としてＬＲＴに限定されるものではないことは言うまでもない。
【００２９】
まず、利用者１１がＬＲＴに乗車することによってＬＲＴを利用する（Ｓ１）と、降車時に、ＬＲＴの車輌内または停車場に設置されたクーポン発券機１２からクーポン券１３が渡される（Ｓ２）。
【００３０】
このクーポン券１３は、例えば紙又はプラスチックからなるクーポン券本体に、クーポン情報が書き込まれたバーコードを備えてなるものであったり、同様に紙又はプラスチックからなるクーポン券本体に、クーポン情報が書き込まれたＩＣタグを備えてなるものである。クーポン情報とは、利用者１１が顧客になりうる店舗１５（例えば、この交通システム１０が導入されているトランジットモール内の店舗）で提供される商品又はサービスに対する対価の一部又は全部として利用可能な金額情報（例えば、５００円など）、及びこのクーポン券１３を利用することが可能な店舗１５が含まれる。
【００３１】
利用者１１は、利用可能な店舗１５において商品やサービスを購入した場合（Ｓ３）には、決済時に、代金を支払うとともに、クーポン券１３を提示する（Ｓ４）。
【００３２】
クーポン券１３の利用可能な店舗１５には、決済端末１４がそれぞれ備えられている。店舗１５では、利用者１１からクーポン券１３が提示されると、通常の決済処理が行われるのに加えて、決済端末１４によるクーポン情報の読み取りが行われる（Ｓ５）。
【００３３】
クーポン情報には、クーポン券１３が不正に使用されないようにするために、上述したような金額情報、及び利用が許可された店舗１５の情報に加えて、有効期限情報や、その他の種々の認証用情報等を適宜含めるようにしても良い。
【００３４】
決済端末１４では、更に、読み取ったクーポン情報に基づいて、このクーポン券１３が、有効であるか否かが判定される（Ｓ６）。そして、不正な情報が含まれていれば、決済端末１４によって、このクーポン券１３は無効であると判定され（Ｓ６：Ｎｏ）、クーポン券１３の利用不可の通知が利用者１１に対してなされる（Ｓ７）。
【００３５】
一方、不正な情報が含まれていなければ、決済端末１４によって、このクーポン券１３は有効であると判定され（Ｓ６：Ｙｅｓ）、読み取ったクーポン情報と、対応する決済情報とが互いに関連付けられて店舗サーバ１６に出力され、店舗サーバ１６内の記憶領域に記憶される（Ｓ８）。そして、割引チケット等による割引サービスや特典が利用者１１に付与される（Ｓ９）。
【００３６】
更に、ステップＳ８で店舗サーバ１６に記憶されたクーポン情報及びそれに対応する決済情報は、決済した店舗１５に関連付けられた後に、店舗サーバ１６から、ＬＡＮ、ＷＡＮ、あるいはインターネット等の通信ネットワークを介して決算高（売上）集計サーバ１８に送信され、記憶される（Ｓ１０）。その後、決算高（売上）集計サーバ１８では、送信されたクーポン情報及びそれに対応する決済情報が、店舗１５毎に集計される（Ｓ１１）。
【００３７】
更に決算高（売上）集計サーバ１８では、集計後のクーポン情報およびそれに対応する決済情報に基づいて、交通システム１０の運営費に対する各店舗１５毎の負担金額が計算される（Ｓ１２）。そして、この計算結果に従って、各店舗１５から負担金が、交通システム１０の運営者に対して納入される（Ｓ１３）。
【００３８】
上述したように、本実施の形態に係る交通システム運営費徴収方法を適用した交通システム運営費徴収システムにおいては、上記のような作用により、各店舗１５においてなされたクーポン券１３の使用実績を収集することができる。この使用実績に基づいて、交通システム１０の利用者１１によってもたらされた各店舗１５毎の売上高を把握することができる。そして、この把握した売上高に基づいて、交通システム１０の運営費に対する各店舗１５毎の負担金額を決定することによって、交通システム１０の導入に伴って増加した売上に応じて、各店舗１５から公平に運営費を徴収することが可能となる。
【００３９】
（第２の実施の形態）  
次に、本発明の第２の実施の形態について説明する。
【００４０】
第２の実施の形態は、第１の実施の形態の変形例である。したがって、ここでは、第１の実施の形態と異なる点のみについて説明し、重複説明を避ける。
【００４１】
すなわち、第２の実施の形態に係る交通システム運営費徴収方法を適用した交通システム運営費徴収システムは、図４に示すように、クーポン券１３に代えて記憶領域を備えたＩＣカードや、携帯電話やＰＤＡ等の記憶領域を備えた携帯端末２１を用いている。これに伴い、クーポン発券機１２に代えて、クーポン情報発行機２０を備えている。
【００４２】
クーポン情報発行機２０は、交通システム１０の利用者１１に、利用者１１が顧客になりうる、例えばこの交通システム１０が導入されているトランジットモール内の店舗１５においてこの店舗１５が提供する商品又はサービスに対する対価の一部又は全部として利用可能な金額、及び利用可能な店舗情報を含むクーポン情報を、利用者１１が所持しているＩＣカードや携帯端末２１の記憶領域に、電波等により書き込む。電波等により非接触で情報を書き込む技術は公知である。そして、この書き込み実績を決算高（売上）集計サーバ１８に通知する。
【００４３】
決済端末１４は、各店舗１５にそれぞれに備えられ、商品又はサービスに対する決済時に、ＩＣカードや携帯端末２１の記憶領域に書き込まれたクーポン情報を読み取り、読み取ったクーポン情報と、対応する決済情報とを互いに関連付けて、決済端末１４に接続された店舗サーバ１６に出力する。
【００４４】
以上のように構成した本実施の形態に係る交通システム運営費徴収方法を適用した交通システム運営費徴収システムでは、利用者１１がＬＲＴに乗車することによってＬＲＴを利用すると、降車時に、ＬＲＴの車輌内または停車場に設置されたクーポン情報発行機２０によって、利用者１１が所持しているＩＣカードや携帯端末２１の記憶領域に、電波等によりクーポン情報が書き込まれる。
【００４５】
そして、利用者１１は、利用可能な店舗１５において商品やサービスを購入した場合には、決済時に、代金を支払うとともに、クーポン情報が書き込まれたＩＣカードや携帯端末２１を提示する。
【００４６】
店舗１５では、利用者１１からＩＣカード又は携帯端末２１が提示されると、通常の決済処理が行われるのに加えて、決済端末１４によって、ＩＣカード又は携帯端末２１に書き込まれたクーポン情報の読み取りが行われる。
【００４７】
その後は、第１の実施の形態で説明したステップＳ６以降の処理が行われることによって、交通システム１０の導入に伴って増加した売上に応じて、各店舗１５から公平に運営費を徴収することが可能となる。
【００４８】
（第３の実施の形態）
次に、本発明の第３の実施の形態について説明する。
【００４９】
第３の実施の形態は、第１又は第２の実施の形態の変形例である。したがって、ここでは、第１及び第２の実施の形態と異なる点のみについて説明し、重複説明を避ける。
【００５０】
すなわち、第３の実施の形態に係る交通システム運営費徴収方法を適用した交通システム運営費徴収システムは、図５に示すように、第１又は第２の実施の形態で説明したように、決済高（売上）集計サーバ１８によって計算された負担金額を各店舗１５から運営費として徴収するのに加えて、例えばこの交通システム１０が導入されているトランジットモール内のパーク・アンド・ライド駐車場の利用者や、例えば交通システム１０が導入されているトランジットモール内の店舗からセット・チケットを購入した利用者から直接的に徴収する。
【００５１】
すなわち、ＬＲＴを利用し（Ｓ１ａ）、更に、例えばこの交通システム１０が導入されているトランジットモール内のパーク・アンド・ライド駐車場の利用者１１ａによって支払われた利用料金は、この交通システム１０の運営者１７に支払われる（Ｓ２ａ）。
【００５２】
また、ＬＲＴを利用し（Ｓ１ｂ）、更に、例えばこの交通システム１０が導入されているトランジットモール内のセット・チケット売場を利用した利用者１１によって支払われたチケット料金は、この交通システム１０の運営者１７に支払われる（Ｓ２ｂ）。
【００５３】
以上のように構成した本実施の形態に係る交通システム運営費徴収方法を適用した交通システム運営費徴収システムでは、第１又は第２の実施の形態のように、交通システム１０の導入に伴って増加した売上に応じて、各店舗１５から公平に運営費を徴収することが可能となるのに加えて、交通システム１０の運営者１７によって経営されるパーク・アンド・ライド駐車場を利用した利用者１１ａからの利用料金や、交通システム１０の運営者１７によって経営されるセット・チケット売場を利用した利用者１１ｂのチケット料金を運営費として徴収することができる。
【００５４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５５】
【図１】第１の実施の形態に係る交通システム運営費徴収方法を適用した交通システム運営費徴収システムの構成例を示す概念図。
【図２】第１の実施の形態に係る交通システム運営費徴収方法を適用した交通システム運営費徴収システムの動作を処理関連図。
【図３】第１の実施の形態に係る交通システム運営費徴収方法を適用した交通システム運営費徴収システムのデータ遷移図。
【図４】第２の実施の形態に係る交通システム運営費徴収方法を適用した交通システム運営費徴収システムの構成例を示す概念図。
【図５】第３の実施の形態に係る交通システム運営費徴収方法を適用した交通システム運営費徴収システムの動作を処理関連図。
【符号の説明】
【００５６】
１０…交通システム、１１…利用者、１２…クーポン発券機、１３…クーポン券、１４…決済端末、１５…店舗、１６…店舗サーバ、１７…運営者、１８…決済高集計サーバ、２０…クーポン情報発行機、２１…携帯端末
【図１】
2006251905.tif 000003
【図２】
2006251905.tif 000004
【図３】
2006251905.tif 000005
【図４】
2006251905.tif 000006
【図５】
2006251905.tif 000007